(57)【特許請求の範囲】
【請求項１】
複数の論理アドレスから選ばれる論理アドレスと物理アドレスとを有する１台以上の外部機器と通信を行う電子機器であって、
前記複数の論理アドレスのそれぞれに対して前記通信を行う前記外部機器の物理アドレスが対応付けて登録されるアドレスリストを格納する記憶部と、
前記論理アドレスの少なくとも一部宛に外部機器の接続を確認するためのコマンドを送信し、前記外部機器の接続を確認するためのコマンドを送信した各宛先に対して前記アドレスリストに前記物理アドレスが対応づけられているかを示す情報が対応づけられている送信リストを作成し、前記送信リストに基づいて前記接続を確認するためのコマンドに対して前記アドレスリスト中において前記物理アドレスが対応づけられていない論理アドレスから応答があったかを判別し、前記接続を確認するためのコマンドに対して前記アドレスリスト中において前記物理アドレスが対応づけられていない論理アドレスから応答があった場合に前記論理アドレス宛に当該論理アドレスが割り当てられている外部機器に割り当てられている物理アドレスを取得するためのコマンドを送信し、前記記憶部に格納されている前記アドレスリスト中の前記接続を確認するためのコマンドを送信した論理アドレスに前記物理アドレスを取得するためのコマンドに応じた応答に含まれる物理アドレスを対応づけて登録し、前記接続を確認するためのコマンドに対して前記アドレスリスト中において前記物理アドレスが対応づけられている論理アドレスから応答が無かったか否かを判別し、前記接続を確認するためのコマンドに対して前記アドレスリスト中において前記物理アドレスが対応づけられている論理アドレスから応答が無かった場合に、前記アドレスリストから前記接続を確認するためのコマンドを送信した論理アドレスに対応づけられている外部機器の物理アドレスを含む情報を削除する制御部とを具備することを特徴とする電子機器。
【請求項２】
前記外部機器から前記電子機器に映像信号が伝送され、
前記映像信号に応じた映像を表示するための表示部を更に具備することを特徴とする請求項１に記載の電子機器。
【請求項３】
前記外部機器と前記電子機器との通信は、ＨＤＭＩ規格に基づいてなされることを特徴とする請求項１に記載の電子機器。
【請求項４】
複数の論理アドレスから選ばれる論理アドレスと物理アドレスとを有する１台以上の外部機器と通信を行い、前記複数の論理アドレスのそれぞれに対して前記通信を行う前記外部機器の物理アドレスが対応付けて登録されるアドレスリストとを有する電子機器における接続機器探索方法であって、
前記論理アドレスの少なくとも一部宛に、外部機器の接続を確認するためのコマンドを送信し、
前記外部機器の接続を確認するためのコマンドを送信した各宛先に対して前記アドレスリストに前記物理アドレスが対応づけられているかを示す情報が対応づけられている送信リストを作成し、
前記送信リストに基づいて前記接続を確認するためのコマンドに対して前記アドレスリスト中において前記物理アドレスが対応づけられていない論理アドレスから応答があったかを判別し、
前記接続を確認するためのコマンドに対して前記アドレスリスト中において前記物理アドレスが対応づけられていない論理アドレスから応答があった場合に前記論理アドレス宛に当該論理アドレスが割り当てられている外部機器に割り当てられている物理アドレスを取得するためのコマンドを送信し、
前記記憶部に格納されている前記アドレスリスト中の前記接続を確認するためのコマンドを送信した論理アドレスに前記物理アドレスを取得するためのコマンドに応じた応答に含まれる物理アドレスを対応づけて登録し、
前記接続を確認するためのコマンドに対して前記アドレスリスト中において前記物理アドレスが対応づけられている論理アドレスから応答が無かったか否かを判別し、
前記接続を確認するためのコマンドに対して前記アドレスリスト中において前記物理アドレスが対応づけられている論理アドレスから応答が無かった場合に前記アドレスリストから前記コマンドを送信した論理アドレスに対応づけられている外部機器の物理アドレスを含む情報を削除することを特徴とする接続機器探索方法。
【発明の詳細な説明】
【技術分野】
【０００１】
本発明は、ＣＥＣ機器と通信が可能な電子機器、および接続機器探索方法に関する。
【背景技術】
【０００２】
現在、テレビと録画装置との間の映像信号および音声信号の伝達にＨＤＭＩ（Ｈｉｇｈ−Ｄｅｆｉｎｉｔｉｏｎ Ｍｕｌｔｉｍｅｄｉａ Ｉｎｔｅｒｆａｃｅ）規格が用いられつつある。
【０００３】
ＨＤＭＩ規格では、オプションとして、ＣＥＣ（Ｃｏｎｓｕｍｅｒ Ｅｌｅｃｔｒｏｎｉｃｓ Ｃｏｎｔｒｏｌ）規格（非特許文献１参照）が定義されている（非特許文献１）。ＣＥＣ規格は、ＨＤＭＩ端子にある１本の端子（ＣＥＣ端子）を介して、ＨＤＭＩ接続機器の制御を相互に行うことができるシリアル通信プロトコルである。
【非特許文献１】「Ｈｉｇｈ−Ｄｅｆｉｎｉｔｉｏｎ Ｍｕｌｔｉｍｅｄｉａ Ｉｎｔｅｒｆａｃｅ Ｓｐｅｃｉｆｉｃａｔｉｏｎ Ｖｅｒｓｉｏｎ １．３ａ」 Ｈｉｔａｃｈｉ，Ｌｔｄ．／Ｍａｔｓｕｓｈｉｔａ Ｅｌｅｃｔｒｉｃ Ｉｎｄｕｓｔｒｉａｌ Ｃｏ．，Ｌｔｄ．／Ｐｈｉｌｉｐｓ Ｃｏｎｓｕｍｅｒ Ｅｌｅｃｔｒｏｎｉｃｓ，Ｉｎｔｅｒｎａｔｉｏｎａｌ Ｂ．Ｖ．／Ｓｉｌｉｃｏｎ Ｉｍａｇｅ，Ｉｎｃ．／Ｓｏｎｙ Ｃｏｒｐｏｒａｔｉｏｎ／Ｔｈｏｍｓｏｎ Ｉｎｃ．／Ｔｏｓｈｉｂａ Ｃｏｒｐｏｒａｔｉｏｎ Ｎｏｖｅｍｂｅｒ １０，２００６
【発明の開示】
【発明が解決しようとする課題】
【０００４】
ところで、ＣＥＣ規格では、新たに接続されたＣＥＣ機器は、シンク装置に対して接続されたことを通知しなければならない。ところが、ＣＥＣ規格に対応した機器の中には、新たに接続してもシンク装置に接続したことを通知しない機器がある。
【０００５】
本発明の目的は、外部機器の脱着を確実に識別し、効率的に監視することが出来る電子機器、および接続機器探索方法を提供することにある。
【課題を解決するための手段】
【０００６】
本発明の一例に係わる、複数の論理アドレスから選ばれる論理アドレスと物理アドレスとを有する１台以上の外部機器と通信を行う電子機器は、前記複数の論理アドレスのそれぞれに対して前記通信を行う前記外部機器の物理アドレスが対応付けて登録されるアドレスリストを格納する記憶部と、前記論理アドレスの少なくとも一部宛に外部機器の接続を確認するためのコマンドを送信し、前記外部機器の接続を確認するためのコマンドを送信した各宛先に対して前記アドレスリストに前記物理アドレスが対応づけられているかを示す情報が対応づけられている送信リストを作成し、前記送信リストに基づいて前記接続を確認するためのコマンドに対して前記アドレスリスト中において前記物理アドレスが対応づけられていない論理アドレスから応答があったかを判別し、前記接続を確認するためのコマンドに対して前記アドレスリスト中において前記物理アドレスが対応づけられていない論理アドレスから応答があった場合に前記論理アドレス宛に当該論理アドレスが割り当てられている外部機器に割り当てられている物理アドレスを取得するためのコマンドを送信し、前記記憶部に格納されている前記アドレスリスト中の前記接続を確認するためのコマンドを送信した論理アドレスに前記物理アドレスを取得するためのコマンドに応じた応答に含まれる物理アドレスを対応づけて登録し、前記接続を確認するためのコマンドに対して前記アドレスリスト中において前記物理アドレスが対応づけられている論理アドレスから応答が無かったか否かを判別し、前記接続を確認するためのコマンドに対して前記アドレスリスト中において前記物理アドレスが対応づけられている論理アドレスから応答が無かった場合に、前記アドレスリストから前記接続を確認するためのコマンドを送信した論理アドレスに対応づけられている外部機器の物理アドレスを含む情報を削除する制御部とを具備することを特徴とする。
【０００９】
本発明の一例に係わる、複数の論理アドレスから選ばれる論理アドレスと物理アドレスとを有する１台以上の外部機器と通信を行い、前記複数の論理アドレスのそれぞれに対して前記通信を行う前記外部機器の物理アドレスが対応付けて登録されるアドレスリストとを有する電子機器における接続機器探索方法は、前記論理アドレスの少なくとも一部宛に、外部機器の接続を確認するためのコマンドを送信し、前記外部機器の接続を確認するためのコマンドを送信した各宛先に対して前記アドレスリストに前記物理アドレスが対応づけられているかを示す情報が対応づけられている送信リストを作成し、前記送信リストに基づいて前記接続を確認するためのコマンドに対して前記アドレスリスト中において前記物理アドレスが対応づけられていない論理アドレスから応答があったかを判別し、前記接続を確認するためのコマンドに対して前記アドレスリスト中において前記物理アドレスが対応づけられていない論理アドレスから応答があった場合に前記論理アドレス宛に当該論理アドレスが割り当てられている外部機器に割り当てられている物理アドレスを取得するためのコマンドを送信し、前記記憶部に格納されている前記アドレスリスト中の前記接続を確認するためのコマンドを送信した論理アドレスに前記物理アドレスを取得するためのコマンドに応じた応答に含まれる物理アドレスを対応づけて登録し、前記接続を確認するためのコマンドに対して前記アドレスリスト中において前記物理アドレスが対応づけられている論理アドレスから応答が無かったか否かを判別し、前記接続を確認するためのコマンドに対して前記アドレスリスト中において前記物理アドレスが対応づけられている論理アドレスから応答が無かった場合に前記アドレスリストから前記コマンドを送信した論理アドレスに対応づけられている外部機器の物理アドレスを含む情報を削除することを特徴とする。
【発明の効果】
【００１２】
本発明によれば、外部機器の脱着を確実に識別し、効率的に監視することが出来る。
【発明を実施するための最良の形態】
【００１３】
本発明の実施の形態を以下に図面を参照して説明する。  
（第１の実施の形態）
図１は、本発明の第１の実施形態に係わるＨＤＭＩ（High-Definition Multimedia Interface）システムを示す概略図である。
【００１４】
ＨＤＭＩシステム１００は、アンテナから地上デジタル放送波を受信し復調して表示、または外部入力から映像信号を受信して表示する電子機器であるテレビ１と、ＣＥＣ機器から入力する音声信号の増幅および再生またはＣＥＣ機器から入力する映像信号および音声信号の出力切替等を行うＡＶ（Audio and Visual）アンプ２と、ＢＳ（Broadcast Satellite）やＣＳ（Communication Satellite）等の衛星放送を受信して復調するチューナとしてのセットトップボックス３と、ＨＤ ＤＶＤ（High-Definition Digital Versatile Disc）やＤＶＤ等のメディアを再生するＤＶＤプレーヤ４と、放送および外部入力からの映像信号を記録し、記録したコンテンツを外部に出力可能なＨＤＤ（Hard Disc Drive）レコーダ５とを有し、それぞれを図示するようにＨＤＭＩケーブル６で接続することで構成される。リモコン１Ｂは、テレビ１を操作する専用リモコンであるが、ＨＤＭＩケーブル６を介して他の電子機器に命令信号を送信して操作することも可能である。
【００１５】
テレビ１は、ＨＤＭＩケーブル６で接続された各電子機器との接続を、テレビ１の電源投入時に確認するほか、通常動作中に定期的に確認する。接続確認の情報の送受信はＨＤＭＩケーブル６のＣＥＣ制御ラインを用いて行う。
【００１６】
図２（Ａ）および（Ｂ）は、本発明の第１の実施形態に係わるＨＤＭＩシステムの構成を示すブロック図である。
【００１７】
図２（Ａ）に示すように、テレビ１は、ＨＤＭＩ端子の入力１および入力２を有し、テレビ１の入力１にＡＶアンプ２の出力がＨＤＭＩケーブル６を介して接続され、テレビ１の入力２にＨＤＤレコーダ５の出力がＨＤＭＩケーブル６を介して接続される。また、テレビ１は、アンテナ１Ａを介して地上デジタル放送波を受信する。
【００１８】
ＡＶアンプ２は、ＨＤＭＩ端子の入力１および入力２を有し、ＡＶアンプ２の入力１にセットトップボックス３の出力がＨＤＭＩケーブル６を介して接続され、ＡＶアンプ２の入力２にＤＶＤプレーヤ４の出力がＨＤＭＩケーブル６を介して接続される。また、セットトップボックス３は、アンテナ３Ａを介してＢＳおよびＣＳの放送波を受信する。
【００１９】
ＨＤＤレコーダ５は、アンテナ５Ａを介して地上デジタル放送波を受信する。
【００２０】
ＨＤＭＩケーブル６はＣＥＣ（Consumer Electronics Control）制御ライン６ＡとＨＤＭＩライン６Ｂとを有する。ＣＥＣ制御ライン６Ａは、各電子機器のＣＰＵ１６、２６、３６、４６、および５６の間でシリアルに接続される。ＨＤＭＩライン６Ｂは、映像信号および音声信号を伝送するように各電子機器の間でそれぞれ接続される。
【００２１】
図２（Ｂ）は、図２（Ａ）に示すように各電子機器を接続した場合に、各電子機器に設定される物理アドレスを表記した物理アドレス表記例６０であり、テレビ１は「０．０．０．０」、ＡＶアンプ２は「１．０．０．０」、セットトップボックス３は「１．１．０．０」、ＤＶＤプレーヤ４は「１．２．０．０」、ＨＤＤレコーダ５は「２．０．０．０」と記述される。物理アドレスは、テレビ１を０階層目とし、テレビ１に接続されている電子機器の入力の番号を１階層目の数字として記述する。２階層目、３階層目、４階層目に関しても同様に記述され、テレビ１から数えて５階層のＨＤＭＩシステム１００を構成することができる。
【００２２】
図３は、本発明の第１の実施の形態に係わるテレビの構成を示すブロック図である。  
テレビ１は、アンテナ１Ａを介して地上デジタルテレビ放送波（放送信号）を受信し、放送波を復調して番組信号を出力するチューナ１０と、チューナ１０の出力を映像データ、音声データ、字幕データ等の種別に分別して処理する信号処理部１１と、信号処理部１１の映像データおよび字幕データの出力をデコードする映像処理部１２Ａと、映像処理部１２Ａの出力を表示用の映像信号に変換して出力する表示出力処理部１３Ａと、表示出力処理部１３Ａの出力をＬＣＤ（Liquid Crystal Display）に表示する表示部１４Ａと、信号処理部１１の音声データの出力をデコードする音声処理部１２Ｂと、音声処理部１２Ｂの出力を音声信号に変換して出力する音声出力処理部１３Ｂと、音声出力処理部１３Ｂの出力を音声に変換するスピーカ１４Ｂと、ＨＤＭＩケーブル６のＨＤＭＩライン６Ｂを介して外部から映像データおよび音声データを受信するＨＤＭＩ受信部１５と、ＨＤＭＩケーブル６のＣＥＣ制御ライン６Ａを介して外部からＣＥＣ制御データを送受信しテレビ１の各部を制御するＣＰＵ（Central Processing Unit）１６と、ＣＰＵ１６が処理するデータを一時的に記憶するＲＡＭ（RandomAccess Memory）１７と、論理アドレス割り当てテーブル１８Ａ、アドレスリスト１８Ｂ、およびファームウエア等のデータを不揮発に記録するＲＯＭ（Read Only Memory）１８と、複数のスイッチ等からなり、それらの入力に基づいてテレビ１を操作する操作部１９と、リモコン１Ｂから赤外線信号を用いて送信される命令を受信する受光部２０とを有する。各部は、バス２１によって相互に接続される。
【００２３】
なお、ＨＤＭＩケーブル６は、図示しないＨＤＭＩコネクタに接続されＨＤＭＩのインターフェースを介してＨＤＭＩ受信部１５およびＣＰＵ１６にそれぞれ接続される。
【００２４】
図４は、本発明の第１の実施形態に係わる論理アドレス割り当てテーブルの構成を示す表である。  
図４に示すように、論理アドレス割り当てテーブル１８Ａは、ＨＤＭＩ−ＣＥＣの規格上での論理アドレス１８０とデバイスナンバー１８１とデバイスタイプ１８２を対応付ける表であり、論理アドレス１８０は「０」から「１５」まで１６個用意される。
【００２５】
論理アドレス１８０は、「０」から「１１」までは論理アドレス割り当てテーブル１８Ａに表記された通りのデバイスナンバー１８１およびデバイスタイプ１８２が設定されているが、論理アドレス１８０の「１２」および「１３」は、「Ｈｉｇｈ−Ｄｅｆｉｎｉｔｉｏｎ Ｍｕｌｔｉｍｅｄｉａ Ｉｎｔｅｒｆａｃｅ Ｓｐｅｃｉｆｉｃａｔｉｏｎ Ｖｅｒｓｉｏｎ １．３ａ」ではデバイスナンバー１８１およびデバイスタイプ１８２ともに設定されておらず、この論理アドレス１８０は使用することができない。
【００２６】
論理アドレス１８０の「１４」は、「Ｆｒｅｅ Ｕｓｅ」のため、任意のデバイスナンバー１８１およびデバイスタイプ１８２を設定できる。例えば、レコーディングデバイス１からレコーディングデバイス３までを使用し、さらにレコーディングデバイスをもう１台追加したい場合等に使用することができる。論理アドレス１８０の「１５」は、機器単体で使用することはできないが、命令を実行するとその他の論理アドレスを使用している機器以外のすべての機器に命令が送信される。
【００２７】
図５は、本発明の第１の実施形態に係わるアドレスリストの構成を示す表である。  
図５に示すように、アドレスリストは、テレビ１がＨＤＭＩケーブル６を介して接続されているＣＥＣ機器の接続を確認した場合に、そのＣＥＣ機器の物理アドレス１８３およびデバイスネーム１８４が書き込まれることで作成される。ここでは、図２（Ａ）および図２（Ｂ）に示すＨＤＭＩシステム１００において、テレビ１がＡＶアンプ２、セットトップボックス３、ＤＶＤプレーヤ４、およびＨＤＤレコーダ５の接続を確認した場合を表記している。
【００２８】
以下に、本発明の第１の実施の形態におけるテレビの動作について各図を参照しつつ説明する。
【００２９】
まず、操作部１９またはリモコン１Ｂを操作することによりテレビ１の電源を投入すると、ＣＰＵ１６はテレビ１の起動処理を行う。起動処理は、各部の初期化および設定データの読み込み等の動作からなり、ＣＰＵ１６はそれらの起動処理とともにＨＤＭＩケーブル６を介して接続されたＣＥＣ機器の接続確認を行う。接続確認は、論理アドレス割り当てテーブル１８Ａに基づいて行われ、論理アドレス１８０のそれぞれに接続されているＣＥＣ機器の物理アドレス１８３およびデバイスネーム１８４を書き込むことで実行される。
【００３０】
論理アドレス１８０のそれぞれに接続を確認する場合に、ＣＰＵ１６はＨＤＭＩ規格１．３ａで定める「<Give Physical Address>」というコマンドを用い、接続されているＣＥＣ機器にポーリングする。ポーリングは、接続の確実性を向上させるために、例えば５回繰り返して行う。ポーリングを実行した論理アドレス１８０にＣＥＣ機器が接続されていると、ＣＥＣ機器はポーリングに対する応答として物理アドレス１８３およびデバイスネーム１８４をテレビ１に送信する。ただし、論理アドレス１８０の「０」は、テレビ１自身であり、まず最初に自らを論理アドレス１８０の「０」に登録する。
【００３１】
テレビ１は、接続確認を含む起動処理を全て終了すると通常動作を開始する。なお、各論理アドレスに対してポーリングを５回行うことで、起動時の接続確認全体に約２〜３秒程度の時間を要する。
【００３２】
ところで、テレビ１が起動処理した後、新たに接続されたＨＤＭＩ機器については、接続された機器側が<Report Physical Address>コマンドを用いて自発的に物理アドレス情報その他についてテレビ１側に通知することになっている。ところが、ＨＤＭＩの機器の中には、自発的に<Report Physical Address>コマンドを送信してこないものがある。このような機器をテレビ１側では認識することが出来ない。
【００３３】
そこで、テレビ１側で新たに接続されたＨＤＭＩ機器を認識するための処理を行う。以下において、テレビ１が起動処理実行した後に行うＨＤＭＩ機器の接続確認の動作を詳細に説明する。
【００３４】
図６は、本発明の第１の実施形態に係わるテレビの動作を示すフローチャートである。図６は、上記で説明したテレビ装置のシステムおよび周辺機器の接続例をもとに、ＨＤＭＩ−ＣＥＣ機能を搭載した機器（以下、ＣＥＣ機器）の接続状態の監視を行う方法を示したフローチャートである。例として、まず最初にテレビ装置の電源が投入され起動し、ＣＥＣ制御ラインを使った通信が可能な状態とする。
【００３５】
また、ＨＤＭＩ−ＣＥＣの規格として、接続機器は図４のように論理アドレスが割り当てされているのであるが、テレビ装置としてはすでにアドレス０番を取得済みな状態とする。なお、アドレス１５番はＣＥＣ機器としての通信を能動的に行えない不特定多数の番号である。
【００３６】
この状態で次にアドレス１〜１４の接続機器をサーチして既に１度アドレスリストが作成済みであるとする（ステップＳ１１）。ステップＳ１２〜ステップＳ１６の処理によって、ＣＰＵ１６は、論理アドレスが未登録のアドレスに対してＨＤＭＩ規格１．３ａで定められている<Polling Message>コマンドを送信する。<Polling Message>コマンドは、論理アドレス宛にＣＥＣ機器の有無を確認するためのコマンドである。<Polling Message>コマンドは、他のプロトコルではPingに相当する。<Polling Message>コマンドを受信したＣＥＣ機器は、<Polling Message>コマンドを送信した機器に対して<ACK>コマンドを返さなければならない。
【００３７】
例えば図５に示す管理データテーブルが既に作成されている場合、論理アドレス２、６、７、８、９、１０、１１、１２、１３、１４番が未登録のアドレスであるため、これらの論理アドレス宛に<Polling Message>コマンドを送信する。以下に、ステップＳ１２〜ステップＳ１６の処理を説明する。
【００３８】
ＣＰＵ１６は、ｉに１を代入する（ステップＳ１２）。なお、ｉは論理アドレスのナンバーを表す数字である。ＣＰＵ１６は、アドレスリストを参照して論理アドレスｉ番に対してＣＥＣ機器の情報が未登録であるか否かを判別する（ステップＳ１３）。未登録であると判別した場合（ステップＳ１３のＹＥＳ）、ＣＰＵ１６は、論理アドレスｉ番に対して<Polling Message>コマンドを送信する（ステップＳ１４）。
【００３９】
ステップＳ１３において未登録ではないと判別した場合（ステップＳ１３のＮＯ）、またはステップＳ１４の処理後、ＣＰＵ１６は、ｉの値を＋１カウントアップする（ステップＳ１５）。ｉの値が１４より大きいか否かを判別する（ステップＳ１６）。１４より大きくないと判別した場合（ステップＳ１６のＮＯ）、まだアドレスリスト中にＣＥＣ機器が登録されていない論理アドレスがある可能性があるので、ＣＰＵ１６は、ステップＳ１３からの処理を順次実行する。１４より大きいと判別した場合（ステップＳ１６のＹＥＳ）、ＣＰＵ１６は、アドレスリスト中にＣＥＣ機器が登録されていない論理アドレスが無いので、ステップＳ１７からの処理を順次実行する。
【００４０】
ステップＳ１７からの処理は、<Polling Message>コマンドを送信した論理アドレスから<ACK>コマンドの応答の有無を判別し、応答があったＣＥＣ機器から物理アドレスを含む情報を取得して、アドレスリストに登録する。以下にステップＳ１７からの処理を順次説明する。
【００４１】
先ず、ＣＰＵ１６は、ｉに１を代入する（ステップＳ１７）。ｉは論理アドレスのナンバーを表す数字である。ＣＰＵ１６は、アドレスリストを参照して論理アドレスｉ番に対してＣＥＣ機器の情報（物理アドレス含む）が未登録であるか否かを判別する（ステップＳ１８）。ＣＥＣ機器の情報が未登録であると判別した場合（ステップＳ１８のＹＥＳ）、ＣＰＵ１６は、論理アドレスｉ番から<ACK>コマンドの応答があったか否かを判別する（ステップＳ１９）。応答があったと判別した場合（ステップＳ１９のＹＥＳ）、新規にＣＥＣ機器が接続された可能性があるので、<ACK>コマンドを送信した論理アドレス宛に対して、ＣＰＵ１６は、<Give Physical Address>コマンドを送信する（ステップＳ２０）。<Give Physical Address>コマンドは、物理アドレス情報について問い合わせるためのコマンドである。
【００４２】
接続されたＣＥＣ機器が正常であれば<Give Physical Address>コマンドに対して<Report Physical Address>コマンドを使って物理アドレス情報その他について応答を送信してくる。ＣＰＵ１６は、<Report Physical Address>コマンドを受信しているか否かを判別する（ステップＳ２１）。<Report Physical Address>コマンドを受信している場合（ステップＳ２１のＹＥＳ）、ＣＰＵ１６は、<Report Physical Address>コマンドに含まれる物理アドレス情報を取得し、アドレスリストに論理アドレスおよび物理アドレスを登録する（ステップＳ２２）。
【００４３】
ステップＳ１８においてＣＥＣ機器の情報が未登録ではないと判別した場合（ステップＳ１８のＮＯ）、ステップＳ１９において<ACK>コマンドの応答がないと判別した場合（ステップＳ１９のＮＯ）、ステップＳ２１において<Give Physical Address>コマンドの応答がないと判別した場合（ステップＳ２１のＹＥＳ）、および取得情報をアドレスリストに登録した（ステップＳ２２）後の何れかの場合、ＣＰＵ１６は、ｉの値を＋１カウントアップする（ステップＳ２３）。そして、ＣＰＵ１６は、論理アドレス番号を示す新たなｉの値が１４より大きいか否かを判別する（ステップＳ２４）。ここで、ｉの値が１４より大きいか否かを判別するのは、論理アドレス１番はテレビ１であり、ＣＥＣ機器が割り当てられる論理番号は１〜１４の１４個だからである。
【００４４】
次いで、１４より大きくないと判別した場合（ステップＳ２４のＮＯ）、ＣＰＵ１６は、ステップＳ１８からの処理を順次実行して、<Polling Message>コマンドを送信した論理アドレスｉ番からの<ACK>コマンドの応答の有無を判別し、応答があったＣＥＣ機器から物理アドレスを含む情報を取得して、アドレスリストに登録する。
【００４５】
また、１４より大きいと判別した場合（ステップＳ２４のＹＥＳ）、ＣＰＵ１６は、引き続き次の時間になったら、ステップＳ１２からの処理を順次実行することによって、アドレスリストにＣＥＣ機器が登録されていない論理アドレス宛に<Polling Message>コマンドを送信して監視を続ける。上記時間については、例えば１０秒や３０秒といった時間が考えられるが、この例に限定しない。
【００４６】
本実施形態のように、定期的な問い合わせを<Give Physical Address>コマンドでなく、<Polling Message>で行うことにより、無駄な応答待ち時間や再送信といったことが生じないため、従来の方法より通信負荷が少なくすみ、効率的に行うことが可能になる。また、ＨＤＭＩケーブルをテレビに挿入しても自発的に<Report Physical Address>コマンドを送信してこないＣＥＣ機器に対しても、この監視方法により、新規の接続を確認することが可能になる。
【００４７】
また、論理アドレス１８０の「０」は、テレビ１以外にＨＤＭＩ−ＣＥＣ機能を有するＰＣ用ディスプレイやモニター等の表示装置を用いることができる。
【００４８】
（第２の実施形態）
図７は、本発明の第２の実施形態に係わるテレビの動作を示すフローチャートである。なお、以下の説明において、第１の実施形態と同一の構成および機能を有する部分については共通の符号を付している。
【００４９】
第１の実施形態と同様に、まず最初にテレビ装置の電源が投入され起動し、ＣＥＣ制御ラインを使った通信が可能な状態とする。また、テレビ装置としてはすでにアドレス０番を取得済みな状態とする。この状態で次にアドレス１〜１４の接続機器をサーチして既に１度アドレスリストが作成済みであるとする（ステップＳ３１）
ステップＳ３２〜ステップＳ３６の処理によって、ＣＰＵ１６は、ＣＥＣ機器の物理アドレスが登録されている論理アドレスに対して<Polling Message>コマンドを送信する。
【００５０】
例えば図５に示す管理データテーブルが既に作成されている場合、論理アドレス１，３，４，５番が登録済みのアドレスであるため、これらの論理アドレス宛に<Polling Message>コマンドを送信する。以下に、ステップＳ３２〜ステップＳ３６の処理を説明する。
【００５１】
ＣＰＵ１６は、ｉに１を代入する（ステップＳ３２）。なお、ｉは論理アドレスのナンバーを表す数字である。ＣＰＵ１６は、アドレスリストを参照して論理アドレスｉ番にＣＥＣ機器が登録されているか否かを判別する（ステップＳ３３）。ＣＥＣ機器が登録されていると判別した場合（ステップＳ３３のＹＥＳ）、論理アドレスｉ番に対して<Polling Message>コマンドを送信する（ステップＳ３４）。
【００５２】
ステップＳ３３において登録されていないと判別した場合（ステップＳ３３のＮＯ）、またはステップＳ３４の処理後、ＣＰＵ１６は、ｉの値を＋１カウントアップする（ステップＳ３５）。ｉの値が１４より大きいか否かを判別する（ステップＳ３６）。１４より大きくないと判別した場合（ステップＳ３６のＮＯ）、まだアドレスリスト中にＣＥＣ機器が登録されていない論理アドレスがある可能性があるので、ＣＰＵ１６は、ステップＳ３３からの処理を順次実行する。１４より大きいと判別した場合（ステップＳ３６のＹＥＳ）、アドレスリスト中にＣＥＣ機器が登録されている論理アドレスが無いので、ＣＰＵ１６は、ステップＳ３７からの処理を順次実行する。
【００５３】
ステップＳ３７からの処理では、<Polling Message>コマンドを送信した論理アドレスから<ACK>コマンドの応答の有無を判別し、応答がなかった論理アドレスに対して登録されている情報をアドレスリストから削除する。以下にステップＳ３７からの処理を順次説明する。
【００５４】
先ず、ＣＰＵ１６は、ｉに１を代入する（ステップＳ３７）。ｉは論理アドレスのナンバーを表す数字である。ＣＰＵ１６は、アドレスリストを参照して論理アドレスｉ番に対してＣＥＣ機器の情報（物理アドレスを含む）が登録されているか否かを判別する（ステップＳ３８）。登録されていると判別した場合（ステップＳ３８のＹＥＳ）、ＣＰＵ１６は、論理アドレスｉ番から<ACK>コマンドの応答があったか否かを判別する（ステップＳ３９）。
【００５５】
応答が無かったと判別した場合（ステップＳ３９のＮＯ）、念のため応答不可能な状態にあるか確認するために、ＣＰＵ１６は、<Polling Message>コマンドを再送信し（ステップＳ４０）、<ACK>コマンドの応答の有無を判別する（ステップＳ４１）。これは１度であっても複数回であってもよい。
【００５６】
再送信に対して<ACK>コマンドの応答がなかったと判別した場合（ステップＳ４１のＮＯ）、接続がはずされたあるいは連携ができない状態になったとして、ＣＰＵ１６は、アドレスリストから登録済みのＣＥＣ機器の情報を削除する（ステップＳ４２）。一方、再送信した<Polling Message>コマンドに対して<ACK>コマンドの応答があったと判別した場合（ステップＳ４１のＹＥＳ）、連携可能な状態であるとしてアドレスリストからは削除しない。
【００５７】
ステップＳ３８において論理アドレスｉ番に対してＣＥＣ機器の情報が登録されていないと判別した場合（ステップＳ３８のＮＯ）、ステップＳ３９において論理アドレスｉ番から<ACK>コマンドの応答があったと判別した場合（ステップＳ３９のＹＥＳ）、ステップＳ４１において再送信に対して<ACK>コマンドの応答があったと判別した場合（ステップＳ４１のＹＥＳ）、およびアドレスリストから論理アドレスｉ番に対応づけられていたＣＥＣ機器の情報を削除する処理（ステップＳ４２）の実行後の何れかの場合、ＣＰＵ１６は、ｉの値を＋１カウントアップする（ステップＳ４３）。そして、ＣＰＵ１６は、論理アドレス番号を示す新たなｉの値が１４より大きいか否かを判別する（ステップＳ４４）。ここで、ｉの値が１４より大きいか否かを判別するのは、論理アドレス１番はテレビ１であり、ＣＥＣ機器が割り当てられる論理番号は１〜１４の１４個だからである。
【００５８】
次いで、１４より大きくないと判別した場合（ステップＳ４４のＮＯ）、ＣＰＵ１６は、ステップＳ３８からの処理を順次実行して、<Polling Message>コマンドを送信した論理アドレスｉ番からの<ACK>コマンドの応答の有無を判別し、応答が無かった論理アドレスｉ番に対応づけられているＣＥＣ機器の情報を削除する。
【００５９】
また、１４より大きいと判別した場合（ステップＳ４４のＹＥＳ）、ＣＰＵ１６は、引き続き次の時間になったら、ステップＳ３２からの処理を順次実行することによって、アドレスリストにＣＥＣ機器が登録されている論理アドレス宛に<Polling Message>コマンドを送信して監視を続ける。上記時間については、例えば１０秒や３０秒といった時間が考えられるが、この例に限定しない。
【００６０】
本実施形態のように、定期的な問い合わせを<Give Physical Address>コマンドでなく、<Polling Message>で行うことにより、無駄な送受信の通信や応答待ち時間が生じないため、従来の方法より通信負荷が少なくすみ、効率的に行うことが可能になる。基本的にＨＤＭＩケーブルをテレビから抜いても自発的にそのことをＣＥＣコマンドで通知することができず、あるいはテレビからＡＶアンプをはさんで接続されていたＣＥＣ機器については電気的に接続を確認することができないため、この監視方法は有効である。
【００６１】
（第３の実施形態）
図８は、本発明の第３の実施形態に係わるテレビの動作を示すフローチャートである。なお、以下の説明において、第１の実施の形態と同一の構成および機能を有する部分については共通の符号を付している。
【００６２】
第１の実施形態と同様に、まず最初にテレビ装置の電源が投入され起動し、ＣＥＣ制御ラインを使った通信が可能な状態とする。また、テレビ装置としてはすでにアドレス０番を取得済みな状態とする。この状態で次にアドレス１〜１４の接続機器をサーチして既に１度アドレスリストが作成済みであるとする（ステップＳ５１）。
【００６３】
ＣＰＵ１６は、監視したい論理アドレス宛に対して<Polling Message>コマンドを送信する（ステップＳ５２）。例えば、図５に示すアドレスリストの例において、例えば論理アドレス１〜５番について監視したいとする。ここでいう監視したい論理アドレスとは、論理アドレス１番だけでも論理アドレス１〜１４番全てについてでもよく、目的によるため限定しない。<Polling Message>コマンドを送信したアドレスのリストを作成しておく。例えば、図５に示すアドレスリストの例において、論理アドレス１〜５番に対して<Polling Message>コマンドを送信した場合、ＣＰＵ１６は、図９に示す送信リストを作成し、ＲＡＭ１７に格納しておく。
【００６４】
送信リストには、リスト番号に対して、<Polling Message>コマンドを送信した論理アドレス番号、および論理アドレス番号にＣＥＣ機器の情報が割り当てられているかを示す情報（ここでは物理アドレス）が割り当てられている。
【００６５】
そして、ＣＰＵ１６は、ｉに１を代入する（ステップＳ５３）。なお、ｉは図９に示す送信リストの番号を表す数字である。送信リストを参照してリストｉ番の論理アドレスに対してＣＥＣ機器の情報（物理アドレス含む）が登録されているか否かを判別する（ステップＳ５４）。登録されていないと判別した場合（ステップＳ５４のＮＯ）、ＣＰＵ１６は、リストｉ番の論理アドレス番号から<ACK>コマンドの応答が有ったか否かを判別する（ステップＳ５５）。応答が無かったと判別した場合（ステップＳ５５のＹＥＳ）、ＣＥＣ機器の情報が登録されていない論理アドレス番号から応答があったので、新規にＣＥＣ機器が接続された可能性があるので、ＣＰＵ１６は、<ACK>コマンドを送信した論理アドレス宛に対して、<Give Physical Address>コマンドを送信する（ステップＳ５６）。
【００６６】
接続されたＣＥＣ機器が正常であれば上記<Give Physical Address>コマンドに対して<Report Physical Address>コマンドを使って物理アドレス情報その他について応答を送信してくる。ＣＰＵ１６は、<Report Physical Address>コマンドを受信しているか否かを判別する（ステップＳ５７）。<Report Physical Address>コマンドを受信していると判別した場合（ステップＳ５７のＹＥＳ）、ＣＰＵ１６は、<Report Physical Address>コマンドに含まれる物理アドレス情報を取得し、アドレスリストに論理アドレスおよび物理アドレスを登録する（ステップＳ５８）。
【００６７】
ステップＳ５５において、リストｉ番の論理アドレス番号から<ACK>コマンドの応答が無かったと判別した場合（ステップＳ５５のＮＯ）、ＣＥＣ機器が登録されていないリストｉ番の論理アドレス番号から<ACK>コマンドの応答が無いと言うことなので、新たにＣＥＣ機器が接続されていないということである。
【００６８】
ステップＳ５４において、リストｉ番の論理アドレス番号にＣＥＣ機器の情報が登録されていると判別した場合（ステップＳ５４のＹＥＳ）、ＣＰＵ１６は、リストｉ番の論理アドレス番号から<ACK>コマンドの応答が有ったか否かを判別する（ステップＳ６５）。
【００６９】
リストｉ番の論理アドレス番号から<ACK>コマンドの応答が無かったと判別した場合（ステップＳ６５のＮＯ）、ＣＥＣ機器の情報が登録されている論理アドレス番号から応答が無かったので、念のため応答不可能な状態にあるか確認するために、ＣＰＵ１６は、<Polling Message>コマンドを再送信し（ステップＳ６６）、<ACK>コマンドの応答の有無を判別する（ステップＳ６７）。これは１度であっても複数回であってもよい。
【００７０】
再送信に対して<ACK>コマンドの応答がなかったと判別した場合（ステップＳ６７のＮＯ）、接続がはずされたあるいは連携ができない状態になったとして、ＣＰＵ１６は、アドレスリストから登録済みのＣＥＣ機器の情報を削除する（ステップＳ６８）。一方、再送信した<Polling Message>コマンドに対して<ACK>コマンドの応答があったと判別した場合（ステップＳ６７のＹＥＳ）、連携可能な状態であるとしてアドレスリストからは削除しない。
【００７１】
ステップＳ６５において、リストｉ番の論理アドレス番号から<ACK>コマンドの応答があったと判別した場合（ステップＳ６５）、ＣＥＣ機器が登録されているリストｉ番の論理アドレス番号から<ACK>コマンドの応答が有ったということなので、ＣＥＣ機器が外されていないということである。
【００７２】
ステップＳ５５において<ACK>コマンドの応答が無かったと判別した場合（ステップＳ５５のＮＯ）、<Report Physical Address>コマンドの応答がなかったと判別した場合（ステップＳ５７のＮＯ）、ステップＳ６５において<ACK>コマンドの応答があったと判別した場合（ステップＳ６５のＹＥＳ）、ステップＳ６７において<ACK>コマンドの応答が有ったと判別した場合、ステップＳ５８の処理実行後、およびステップＳ６８の処理実行の実行後の何れかの場合、ＣＰＵ１６は、ｉの値を＋１カウントアップする（ステップＳ５９）。
【００７３】
そして、論理アドレス番号を示す新たなｉの値がリスト数より大きいか否かを判別する（ステップＳ６０）。図９に示すリストの場合、ｉの値が５より大きいか否かを判別する。
【００７４】
次いで、リスト数より大きくないと判別した場合（ステップＳ６０のＮＯ）、ＣＰＵ１６は、ステップＳ５４からの処理を順次実行して、<Polling Message>コマンドを送信した論理アドレスｉ番からの<ACK>コマンドの応答の有無を判別し、新規に接続されたＣＥＣ機器の情報のアドレスリストへの登録、外されたＣＥＣ機器の情報のアドレスリストからの削除を行う。
【００７５】
また、リスト数より大きいと判別した場合（ステップＳ６０のＹＥＳ）、ＣＰＵ１６は、引き続き次の時間になったら、ステップＳ５２からの処理を順次実行することによって、監視したい論理アドレス宛に対して<Polling Message>コマンドを送信する。
【００７６】
本実施形態のように、定期的な問い合わせを第１の実施形態の方法と第２の実施形態の方法とを組み合わせて行うことにより、一括りにＣＥＣ機器の新規接続および接続はずれを効率的に監視することが可能になり、また無駄な送受信の通信や応答待ち時間、再送信が生じず、通信負荷が少なく効率的に監視することが可能になる。
【００７７】
また、第２の実施形態で接続され登録済みのＣＥＣ機器が一時的に<ACK>コマンドの応答を返せなくなり、アドレスリストから削除されて連携できなくなってしまうような場合でも、そのＣＥＣ機器が<ACK>コマンドの応答を返せる状態に復帰したら間もなくそれを検出してアドレスリストに再度登録し、連携を再開することが可能になる。
【００７８】
また、本実施形態は第１の実施形態と第２の実施形態の方法の組み合わせであるため、図１０のフローチャートに示す順序の入れ替えや手順の変更は同様であり、限定しない。
【００７９】
図１０に示すフローチャートの処理を以下に説明する。  
１度アドレスリストが作成済みであるとする（ステップＳ７１）。監視したい論理アドレス宛に対して<Polling Message>コマンドを送信する（ステップＳ７２）。例えば、図５に示すアドレスリストの例において、例えば論理アドレス１〜５番について監視したいとする。ここでいう監視したい論理アドレスとは、論理アドレス１番だけでも論理アドレス１〜１４番全てについてでもよく、目的によるため限定しない。<Polling Message>コマンドを送信したアドレスのリストを作成しておく。例えば、図５に示すアドレスリストの例において、論理アドレス１〜５番に対して<Polling Message>コマンドを送信した場合、図９に示す送信リストを作成し、ＲＡＭ１７に格納しておく。送信リストには、リスト番号に対して、<Polling Message>コマンドを送信した論理アドレス番号、および論理アドレス番号にＣＥＣ機器の情報が割り当てられているかを示す情報（ここでは物理アドレス）が割り当てられている。
【００８０】
そして、ｉに１を代入する（ステップＳ７３）。なお、ｉは図９に示す送信リストの番号を表す数字である。送信リストを参照してリストｉ番の論理アドレスから<ACK>コマンドの応答が有ったか否かを判別する（ステップＳ７４）。<ACK>コマンドの応答が有ったと判別した場合（ステップＳ７４のＹＥＳ）、リストｉ番の論理アドレスにＣＥＣ機器の情報（物理アドレス含む）が登録されているか否かを判別する（ステップＳ７５）。登録されていないと判別した場合（ステップＳ７５のＮＯ）、ＣＥＣ機器の情報が登録されていない論理アドレス番号から応答があったので、新規にＣＥＣ機器が接続された可能性があるので、<ACK>コマンドを送信した論理アドレス宛に対して、<Give Physical Address>コマンドを送信する（ステップＳ７６）。
【００８１】
接続されたＣＥＣ機器が正常であれば上記<Give Physical Address>コマンドに対して<Report Physical Address>コマンドを使って物理アドレス情報その他について応答を送信してくる。<Report Physical Address>コマンドを受信しているか否かを判別する（ステップＳ７７）。<Report Physical Address>コマンドを受信していると判別した場合（ステップＳ７７のＹＥＳ）、<Report Physical Address>コマンドに含まれる物理アドレス情報を取得し、アドレスリストに論理アドレスおよび物理アドレスを登録する（ステップＳ７８）。
【００８２】
ステップＳ７５において、リストｉ番の論理アドレス番号にＣＥＣ機器の情報が登録されていると判別した場合（ステップＳ７５のＹＥＳ）、ＣＥＣ機器が登録されていないリストｉ番の論理アドレス番号から<ACK>コマンドの応答が無いと言うことなので、新たにＣＥＣ機器が接続されていないということである。
【００８３】
ステップＳ７４において、<ACK>コマンドの応答が無かったと判別した場合（ステップＳ７４のＮＯ）、リストｉ番の論理アドレス番号にＣＥＣ機器の情報（物理アドレス含む）が登録されているか否かを判別する（ステップＳ８５）。登録されていると判別した場合（ステップＳ８５のＹＥＳ）、ＣＥＣ機器の情報が登録されている論理アドレス番号から応答が無かったので、念のため応答不可能な状態にあるか確認するために、<Polling Message>コマンドを再送信し（ステップＳ８６）、<ACK>コマンドの応答の有無を判別する（ステップＳ８７）。これは１度であっても複数回であってもよい。
【００８４】
再送信に対して<ACK>コマンドの応答がなかったと判別した場合（ステップＳ８７のＮＯ）、接続がはずされたあるいは連携ができない状態になったとして、アドレスリストから登録済みのＣＥＣ機器の情報を削除する（ステップＳ８８）。一方、再送信した<Polling Message>コマンドに対して<ACK>コマンドの応答があったと判別した場合（ステップＳ８７のＹＥＳ）、連携可能な状態であるとしてアドレスリストからは削除しない。
【００８５】
ステップＳ８５において、リストｉ番の論理アドレス番号にＣＥＣ機器の情報が登録されていないと判別した場合（ステップＳ８５のＮＯ）、ＣＥＣ機器が登録されていない論理アドレス番号から<ACK>コマンドの応答がないということなので、新規にＣＥＣ機器が接続されていないということである。
【００８６】
ステップＳ７５においてＣＥＣ機器の情報が登録されていると判別した場合（ステップＳ７５のＹＥＳ）、<Report Physical Address>コマンドの応答がなかったと判別した場合（ステップＳ７７のＮＯ）、ステップＳ８５においてＣＥＣ機器の情報が登録されていないと判別した場合（ステップＳ８５のＹＥＳ）、ステップＳ８７において<ACK>コマンドの応答が有ったと判別した場合、ステップＳ７８の処理実行後、およびステップＳ８８の処理実行の実行後の何れかの場合、ｉの値を＋１カウントアップする（ステップＳ７９）。そして、論理アドレス番号を示す新たなｉの値がリスト数より大きいか否かを判別する（ステップＳ８０）。図９に示すリストの場合、ｉの値が５より大きいか否かを判別する。
【００８７】
次いで、リスト数より大きくないと判別した場合（ステップＳ８０のＮＯ）、ステップＳ７４からの処理を順次実行して、<Polling Message>コマンドを送信した論理アドレスｉ番からの<ACK>コマンドの応答の有無を判別し、新規に接続されたＣＥＣ機器の情報のアドレスリストへの登録、外されたＣＥＣ機器の情報のアドレスリストからの削除を行う。
【００８８】
また、リスト数より大きいと判別した場合（ステップＳ８０のＹＥＳ）、引き続き次の時間になったら、ステップＳ７２からの処理を順次実行することによって、監視したい論理アドレス宛に対して<Polling Message>コマンドを送信する。
【００８９】
上述した各実施形態のテレビでは、ＣＥＣ機器の新規接続および接続はずれを効率的に監視することが可能になり、また無駄な送受信の通信や応答待ち時間、再送信が生じず、通信負荷が少なく効率的に監視することが可能になる。
【００９０】
また、接続され登録済みのＣＥＣ機器が一時的にＡＣＫ応答を返せなくなり、アドレスリストから削除されて連携できなくなってしまうような場合でも、そのＣＥＣ機器がＡＣＫ応答を返せる状態に復帰したら間もなくそれを検出してアドレスリストに再度登録し、連携を再開することが可能になる。
【００９１】
さらに、接続に用いる<Polling Message>コマンドは通信負荷が少なくいので、定期的な監視の周期を縮めることができる。また、ＣＰＵ１６への負荷が少ないので、アドレスリストを利用した接続機器一覧や連携操作といったユーザーに触れる部分についても、より早く正確な情報を提示できることが可能になる。
【００９２】
なお、基本的にテレビが全ての接続機器の接続状況を把握しておく必要があるため、上記各実施形態においては、全てテレビをもとに説明したが、各実施形態で説明した事項はＨＤＭＩ−ＣＥＣ機能を搭載した全ての機器を対象としており、テレビに限定されるものではなく、テレビ１以外にＨＤＭＩ−ＣＥＣ機能を有するＰＣ用ディスプレイやモニター等の表示装置を用いることができる。
【００９３】
また、映像信号および音声信号、並びにＣＥＣコマンドの伝送をケーブルを介して行うのではなく、ワイヤレスで行っても良い。
【００９４】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００９５】
【図１】第１の実施の形態に係わるＨＤＭＩシステムを示す概略図である。
【図２】第１の実施の形態に関するＨＤＭＩシステムの構成を示すブロック図。
【図３】第１の実施の形態に係わるテレビの構成を示すブロック図。
【図４】第１の実施の形態に係わる論理アドレス割り当てテーブルの構成を示す表。
【図５】第１の実施の形態に係わるアドレスリストの構成を示す表。
【図６】第１の実施の形態に係わるテレビの動作を示すフローチャート。
【図７】第２の実施の形態に係わるテレビの動作を示すフローチャート。
【図８】第３の実施の形態に係わるテレビの動作を示すフローチャート。
【図９】第３の実施の形態に係わる送信リストの構成を示す図。
【図１０】第３の実施の形態に係わるテレビの動作を示すフローチャート。
【符号の説明】
【００９６】
１…テレビ，６…ＨＤＭＩケーブル，６Ａ…ＣＥＣ制御ライン，６Ｂ…ＨＤＭＩライン，１０…チューナ，１４Ａ…表示部，１４Ｂ…スピーカ，１６…ＣＰＵ，１７…ＲＡＭ，１８Ａ…論理アドレス割り当てテーブルテーブル，１８Ｂ…アドレスリスト，１８…ＲＯＭ，１８０…論理アドレス，１８１…デバイスナンバー，１８２…デバイスタイプ，１８３…物理アドレス，１８４…デバイスネーム。
【図１】
0004343249.tif 000002
【図２】
0004343249.tif 000003
【図３】
0004343249.tif 000004
【図４】
0004343249.tif 000005
【図５】
0004343249.tif 000006
【図６】
0004343249.tif 000007
【図７】
0004343249.tif 000008
【図８】
0004343249.tif 000009
【図９】
0004343249.tif 000010
【図１０】
0004343249.tif 000011